(57)【要約】【課題】管状光源から発せられる熱の放熱性及びノイズ抑制性を向上させるとともに狭額縁化が可能となる面光源装置を提供する。【解決手段】面光源装置１１は液晶パネルを保持する液晶パネル支持フレーム１７と、液晶パネル支持フレーム１７と共同して、金属製の放熱板１３及び導光板１４と液晶パネルとの間に配置される光学シート１６を保持する保持フレーム１２とを備えている。導光板１４は液晶パネルの表示面と反対側の面と対応する状態に配置され、管状ランプ１５からの光を端面から入射して液晶パネル側に出射する。放熱板１３は管状ランプ１５及び導光板１４を支持するとともに管状ランプ１５を覆うカバー部１３ａが、管状ランプ１５の出射光を導光板１４に向かうように案内する形状に一体形成され、カバー部１３ａの管状ランプ１５の両端面と対応する側が開放されている。保持フレーム１２は、カバー部１３ａの管状ランプ１５の両端面側の開放部を覆う。【選択図】      図１
2004165031.tif 000002
【特許請求の範囲】
【請求項１】
液晶パネルを保持するための液晶パネル支持フレームと、
管状光源と、
前記液晶パネル支持フレームに保持される液晶パネルの表示面と反対側の面と対応する状態に配置され、前記管状光源からの光を端面から入射して液晶パネル側に出射する導光板と、
前記管状光源及び前記導光板を支持するとともに管状光源を覆うカバー部が、管状光源の出射光を導光板に向かうように案内する形状に一体形成されるとともに、該カバー部の管状光源の両端面と対応する側が開放された金属製の放熱板と、
前記導光板の前記液晶パネル支持フレーム側に配置される光学シートと、
前記カバー部の管状光源の両端面側の開放部を覆う状態で前記液晶パネル支持フレームと共同して前記放熱板及び光学シートを保持する保持フレームと
を備えた面光源装置。
【請求項２】
前記保持フレームは前記放熱板の底面を覆う底壁と、底壁の両端から起立して前記カバー部の開放部を覆う一対の側壁とを備え、前記側壁及び液晶パネル支持フレームに、前記液晶パネル支持フレームと前記保持フレームとを係止固定する係止手段が設けられている請求項１に記載の面光源装置。
【請求項３】
前記液晶パネル支持フレームと前記保持フレームとが一体に形成され、前記放熱板は液晶パネル支持フレームと保持フレームとで挟持されている請求項１に記載の面光源装置。
【請求項４】
液晶パネルを保持するための液晶パネル支持フレームと、
管状光源と、
前記液晶パネル支持フレームに保持される液晶パネルの表示面と反対側の面と対応する状態に配置され、前記管状光源からの光を端面から入射して液晶パネル側に出射する導光板と、
前記管状光源及び前記導光板を支持するとともに管状光源を覆うカバー部が、管状光源の出射光を導光板に向かうように案内する形状に一体形成された金属製の放熱板と、
前記導光板の前記液晶パネル支持フレーム側に配置される光学シートと
を備え、
前記液晶パネル支持フレームと前記放熱板の一方に、前記カバー部の管状光源の両端面側の開放部を覆う壁が形成されるとともに、前記液晶パネル支持フレームと前記放熱板とを係止固定する係止手段が、液晶パネル支持フレーム及び放熱板に設けられている面光源装置。
【発明の詳細な説明】
【０００１】
【発明の属する技術分野】
本発明は、面光源装置に係り、詳しくは液晶表示装置に好適なエッジライト方式の面光源装置に関する。
【０００２】
【従来の技術】
液晶表示装置として液晶表示パネル（液晶パネル）の背面（表示面と反対側の面）に面光源装置をバックライトとして配置したものがある。面光源装置として、冷陰極管等の管状光源が導光板の端面と対向して配置され、導光板の表面（液晶パネルと対向する側の面）から光が出射されるエッジライト方式がある（例えば、特許文献１参照）。
【０００３】
エッジライト方式の面光源装置は、有底箱状の下フレーム、反射シート、リフレクタ、導光板、蛍光管、光学シート及び上フレームを備え、放熱性を高める場合は放熱板も備えている。例えば、図８に示すように、樹脂製の箱状のフレーム５１内に、両側に蛍光管５２の収容部５３を形成するコ字状の折り曲げ部５４ａを備えた放熱板５４を収容し、放熱板５４上に導光板５５を載置し、導光板５５上に光学シート５６を配置して、上フレーム５７をフレーム５１に固定する構成のものがある。放熱板５４の内面（蛍光管５２と対向する面）には反射シート（図示せず）が一体に貼付されている。上フレーム５７の外面には係止凸部５７ａが形成され、フレーム５１の側壁には係止凸部５７ａが係止される係止孔５１ａが形成されている。また、上フレーム５７は四角枠状に形成されるとともに、図示しない液晶パネルを位置決め保持する段差部５７ｂを有する。
【０００４】
また、放熱性を高め、狭額縁化を図ったものとして、図９に示すように、フレーム５１を金属製として肉厚を薄くし、放熱板５４に代えて、白色ＰＥＴシート５８を設けたものがある。白色ＰＥＴシート５８は粘着材を介して導光板５５に貼付されている。なお、「額縁」とは、表示装置全体の領域から表示面の領域を差し引いた部分を意味する。そして、液晶表示装置ではこの額縁を小さくする（狭くする）ことが重要となっている。
【０００５】
なお、国際特許分類のＦ２１Ｖ  ８／００と、Ｆタームの２Ｈ０９１ＬＡ１２、５Ｇ４３５ＡＡ１８及び５Ｇ４３５ＥＥ２７について調査したが、上記フレーム構造の改良に関する従来技術は見つからなかった。
【０００６】
【特許文献１】
特開２００２−９１３３０号公報（明細書の段落［０００４］〜［０００７］）
【０００７】
【発明が解決しようとする課題】
液晶表示装置は、高輝度化及び狭額縁化が求められている。そして、蛍光管５２の高出力化に伴う発熱の増加に対する対応が問題となっている。また、蛍光管５２から発する電磁ノイズも画像の高質化の阻害の一因となっている。ところが、図８に示す構成では、フレーム５１が樹脂製のため所望の強度を確保するには金属製とした場合に比較して側壁の肉厚が厚くなり、狭額縁性が劣る。
【０００８】
一方、図９に示す構成では、フレーム５１が金属製のため樹脂製のものに比較して肉厚を薄くでき、狭額縁性は向上し、しかもフレーム５１が放熱板の役割を果たすため、放熱板５４を設けずに反射シート（白色ＰＥＴシート５８）だけが設けられているため、より狭額縁性が向上する。しかし、放熱板５４が存在しないため、蛍光管５２の上側と対応する位置に金属板が存在せず、放熱性及びノイズ抑制性が図８の構成に比較して劣るという問題がある。
【０００９】
本発明は前記の問題に鑑みてなされたものであって、その目的は管状光源から発せられる熱の放熱性及び管状光源のノイズ抑制性を向上できるとともに狭額縁化が可能となる面光源装置を提供することにある。
【００１０】
【課題を解決するための手段】
前記の目的を達成するため、請求項１に記載の発明は、液晶パネルを保持するための液晶パネル支持フレームと、前記液晶パネル支持フレームと共同して、金属製の放熱板及び導光板の液晶パネル支持フレーム側に配置される光学シートを保持する保持フレームとを備えている。導光板は液晶パネル支持フレームに保持される液晶パネルの表示面と反対側の面と対応する状態に配置され、管状光源からの光を端面から入射して液晶パネル側に出射する。放熱板は管状光源及び導光板を支持するとともに管状光源を覆うカバー部が、管状光源の出射光を導光板に向かうように案内する形状に一体形成されるとともに、該カバー部の管状光源の両端面と対応する側が開放されている。保持フレームは、前記カバー部の管状光源の両端面側の開放部を覆う。
【００１１】
この発明では、金属製の放熱板に一体形成されたカバー部は管状光源の導光板の端面と対向する側を除いた周面を覆うため、管状光源から発せられる熱がカバー部から放熱板に伝達されて効率良く放熱される。また、カバー部は導電性のためシールド板の役割を果たし、管状光源からのノイズの放射を抑制することができる。保持フレームは箱状ではなく、カバー部の管状光源の両端面側の開放部を覆うが、カバー部の導光板の端面と対向する部分は覆わない。従って、従来の箱状のフレームを備えた構成に比較して、狭額縁化を図ることができ、組み立ても簡単になる。
【００１２】
請求項２に記載の発明は、請求項１に記載の発明において、前記保持フレームは前記放熱板の底面を覆う底壁と、底壁の両端から起立して前記カバー部の開放部を覆う一対の側壁とを備えている。そして、前記側壁及び液晶パネル支持フレームに、前記液晶パネル支持フレームと前記保持フレームとを係止固定する係止手段が設けられている。この発明では、保持フレームの側壁に係止手段の一方が設けられるため、係止手段の配設位置の確保が容易となる。
【００１３】
請求項３に記載の発明は、請求項１に記載の発明において、前記液晶パネル支持フレームと前記保持フレームとが一体に形成され、前記放熱板は液晶パネル支持フレームと保持フレームとで挟持されている。この発明では、部品点数が少なくなる。
【００１４】
請求項４に記載の発明は、液晶パネルを保持するための液晶パネル支持フレームと、管状光源と、液晶パネル支持フレームに保持される液晶パネルの表示面と反対側の面と対応する状態に配置される導光板と、導光板の液晶パネル支持フレーム側に配置される光学シートと、金属製の放熱板とを備えている。導光板は管状光源からの光を端面から入射して液晶パネル側に出射する。放熱板は管状光源を覆うとともに管状光源の出射光を導光板に向かうように案内する形状に一体形成されたカバー部を備えている。そして、前記液晶パネル支持フレームと前記放熱板の一方に、前記カバー部の管状光源の両端面側の開放部を覆う壁が形成されるとともに、前記液晶パネル支持フレームと前記放熱板とを係止固定する係止手段が、液晶パネル支持フレーム及び放熱板に設けられている。
【００１５】
この発明では、液晶パネル支持フレームと放熱板とが係止手段により係止固定されて、両者の間に導光板及び光学シートが保持される。従って、請求項１〜請求項３に記載の発明で存在した保持フレームが不要となり、部品点数が少なくなる。
【００１６】
【発明の実施の形態】
（第１の実施の形態）
以下、本発明を具体化した第１の実施の形態を図１及び図２に従って説明する。図１は面光源装置の模式分解斜視図、図２は面光源装置の部分模式断面図である。
【００１７】
図１に示すように、面光源装置１１は、保持フレーム１２、放熱板１３、導光板１４、管状光源としての管状ランプ１５、光学シート１６及び液晶パネル支持フレーム１７を備えている。
【００１８】
放熱板１３は管状ランプ１５及び導光板１４を管状ランプ１５が導光板１４の両側に位置する状態で支持する。この実施の形態では管状ランプ１５として蛍光管（冷陰極管）が使用されている。放熱板１３には管状ランプ１５を覆うカバー部１３ａが、管状ランプ１５の出射光を導光板１４に向かうように案内する形状に一体形成されている。カバー部１３ａは、放熱板１３の両側が断面コ字状に折り曲げられて、管状ランプ１５の両端面と対応する側が開放された状態に形成されている。放熱板１３は金属（例えばアルミニウム）製で、その内面（導光板１４及び管状ランプ１５と対向する側の面）に反射材（図示せず）が一体に形成されている。反射材は例えば白色ＰＥＴフィルムあるいはＥＳＲフィルム（住友スリーエム（株）製の高反射率を持つフィルム）や、銀の蒸着層で構成される。
【００１９】
導光板１４は、液晶パネル１８（図２に図示）の表示面１８ａと反対側の面と対応する状態に配置され、管状ランプ１５からの光を端面１４ａから入射して液晶パネル１８側に出射する。
【００２０】
光学シート１６は導光板１４と液晶パネル１８との間に配置されている。光学シート１６としては、拡散シート、レンズシート、反射型偏光性シート、プリズムシート、ルーバーフィルム等が使用され、一般に組み合わせて使用されるが、模式的に１枚として図示している。光学シート１６の組み合わせとしては、例えば、反射型偏光性シート、レンズシート及び拡散シートの組み合わせ、２枚のプリズムシート及び１枚の拡散シートの組み合わせや、それらとルーバーフィルムとの組み合わせ等がある。
【００２１】
保持フレーム１２は金属製で放熱板１３の底面を覆う底壁１２ａと、底壁１２ａの両端から起立してカバー部１３ａの開放部を覆う一対の側壁１２ｂとを備えている。放熱板１３は導光板１４よりその幅（管状ランプ１５の長手方向に沿う方向の長さ）が大きく形成され、導光板１４と対向しない位置に位置決め手段としての孔１３ｂが形成されている。保持フレーム１２の底壁１２ａには孔１３ｂと係合する凸部１２ｃが形成されている。
【００２２】
液晶パネル支持フレーム１７は放熱板１３の底面と同じ大きさに形成され、保持フレーム１２の両側壁１２ｂであって、放熱板１３のカバー部１３ａよりも図１の上に位置する部分の間に配置される。液晶パネル支持フレーム１７は樹脂製で四角枠状に形成され、内側に液晶パネル１８を保持する段差部１７ａを有する。液晶パネル支持フレーム１７には、側壁１２ｂと対応する箇所に係止手段としての爪部１９が形成されている。爪部１９は三角柱状で、該三角柱が保持フレーム１２の底壁１２ａと平行に延びるように形成されている。この実施の形態では爪部１９は、放熱板１３のカバー部１３ａが形成されていない辺と対応する箇所にそれぞれ２個ずつ形成されている。
【００２３】
保持フレーム１２の側壁１２ｂには爪部１９と係止可能な係止手段としての孔２０が形成されている。そして、保持フレーム１２上に放熱板１３が載置され、放熱板１３のカバー部１３ａ上に液晶パネル支持フレーム１７を配置することにより、爪部１９が孔２０に係止されて、液晶パネル支持フレーム１７が保持フレーム１２に係止固定されるようになっている。液晶パネル支持フレーム１７の爪部１９及び保持フレーム１２の孔２０が、液晶パネル支持フレーム１７と保持フレーム１２とを係止固定する係止手段を構成する。
【００２４】
前記のように構成された面光源装置１１を組み立てる際は、先ず放熱板１３に設けられた図示しない支持部に管状ランプ１５を支持させ、次に導光板１４を放熱板１３の所定位置に組み付ける。導光板１４は管状ランプ１５と対向する端面１４ａ側の両端部がカバー部１３ａの先端と対応する位置で放熱板１３に挟持された状態で組み付けられる。次に放熱板１３が保持フレーム１２上に載置される。このとき、放熱板１３の孔１３ｂに保持フレーム１２の凸部１２ｃが係合することで、放熱板１３は所定の位置に位置決めされた状態となる。次に光学シート１６が導光板１４の出射面１４ｂと対応する所定位置となるように、その端部がカバー部１３ａ上に位置する状態で固定される。次に爪部１９が保持フレーム１２の孔２０と対応する状態で、液晶パネル支持フレーム１７が保持フレーム１２に組み付けられる。液晶パネル支持フレーム１７を両側壁１２ｂ間に配置した状態で、液晶パネル支持フレーム１７を下方に押圧すると、両側壁１２ｂが爪部１９の斜面に押されてその間隔が拡がり、爪部１９が孔２０に嵌合（係止）されると間隔が元の状態に戻り、液晶パネル支持フレーム１７と保持フレーム１２とが係止固定される。
【００２５】
このようにして組み付けられた面光源装置１１を液晶表示装置のバックライトとして使用する場合は、図２に示すように、液晶パネル支持フレーム１７の段差部１７ａに液晶パネル１８が収容される。そして、図示しないフレームで液晶パネル１８の周縁及び面光源装置１１の少なくとも側面が覆われる。
【００２６】
次に前記のように構成された面光源装置１１の作用について説明する。
管状ランプ１５が点灯されると、管状ランプ１５から出射された光は、一部が導光板１４の端面１４ａに直接入射し、一部はカバー部１３ａの内面で反射した後、端面１４ａに入射する。そして、導光板１４に入射した光は、図示していない導光板の光散乱手段と反射シートの作用により、出射面１４ｂから光学シート１６に向かって出射される。
【００２７】
管状ランプ１５は点灯中に発熱するが、管状ランプ１５は導光板１４と対向する側を除いてカバー部１３ａで覆われているため、管状ランプ１５から発せられる熱が、カバー部１３ａを介して放熱板１３に伝達されて効率よく放熱される。
【００２８】
カバー部１３ａは金属製、即ち導電性の材質で形成されているため、シールド板の役割を果たす。従って、管状ランプ１５からのノイズの放射が抑制されて液晶パネル１８の表示が高品質の状態に保持される。
【００２９】
この実施の形態では以下の効果を有する。
（１）  液晶パネル支持フレーム１７と共同して、放熱板１３、導光板１４及び光学シート１６を保持する保持フレーム１２が、従来と異なり箱状ではなく、放熱板１３と一体形成されたカバー部１３ａの導光板１４の端面１４ａと対向する部分は覆わない。従って、従来の箱状のフレームを備えた構成に比較して、狭額縁化を図ることができ、組み立ても簡単もになる。
【００３０】
（２）  保持フレーム１２は放熱板１３の底面を覆う底壁１２ａと、底壁１２ａの両端から起立してカバー部１３ａの開放部を覆う一対の側壁１２ｂとを備え、側壁１２ｂに液晶パネル支持フレーム１７と保持フレーム１２とを係止固定する係止手段の一方（孔２０）が設けられている。従って、係止手段の配設位置の確保が容易となる。
【００３１】
（３）  カバー部１３ａは金属製の放熱板１３の両側が断面コ字状に折り曲げられて、管状ランプ１５の導光板１４の端面１４ａと対向する側以外の周面を覆うように形成されている。従って、管状ランプ１５から発せられる熱がカバー部１３ａを介して放熱板１３から効率良く放熱される。また、カバー部１３ａがシールド板の役割を果たし、管状ランプ１５からのノイズの放射が抑制されて液晶パネル１８の表示が高品質の状態に保持される。
【００３２】
（４）  液晶パネル支持フレーム１７と保持フレーム１２とを係止固定する係止手段が、爪部１９と孔２０との組み合わせで構成されているため、係止手段の構造が簡単になる。
【００３３】
（５）  放熱板１３を保持フレーム１２の所定の位置に位置決めする位置決め手段として、孔１３ｂと凸部１２ｃとが設けられているため、簡単な構成で放熱板１３を所定の位置に位置決めできる。
【００３４】
（第２の実施の形態）
次に第２の実施の形態を図３及び図４に従って説明する。この実施の形態では、保持フレーム１２がなく、液晶パネル支持フレームと放熱板とが係止固定されて、両者の間に導光板１４や管状ランプ１５を保持する点が前記実施の形態と大きく異なっている。前記実施の形態と同様の部分については同一の符号を付し、その詳細な説明は省略する。
【００３５】
図４に示すように、放熱板１３はカバー部１３ａが形成された側と異なる２辺にカバー部１３ａの開放部を覆う壁としての一対の側壁１３ｃが折り曲げ形成されている。側壁１３ｃにはその先端側のカバー部１３ａの図における上面より突出する部分に、孔２１が形成されている。孔２１は液晶パネル支持フレーム１７の爪部１９と対応するように各側壁１３ｃに２個ずつ形成されている。側壁１３ｃは導光板１４及び管状ランプ１５を放熱板１３に組み付けるまでは、図３に示すように折り曲げられていない状態に保持される。
【００３６】
面光源装置１１を組み立てる際は先ず一方の側壁１３ｃが直角に折り曲げられた後、管状ランプ１５及び導光板１４が第１の実施の形態と同様に所定位置に組み付けられる。次に他方の側壁１３ｃが底面と直角に折り曲げられて、図４に示す状態となる。次に光学シート１６が導光板１４の出射面１４ｂと対応する所定位置となるように、その端部においてカバー部１３ａ上に固定される。次に爪部１９が側壁１３ｃの孔２１と対応する状態で、液晶パネル支持フレーム１７が両側壁１３ｃ間に配置される。その状態で、液晶パネル支持フレーム１７が図における下方に押圧されると、両側壁１３ｃが爪部１９の斜面に押されてその間隔が拡がり、爪部１９が孔２１に嵌合（係止）されると間隔が元の状態に戻り、液晶パネル支持フレーム１７と放熱板１３とが係止固定される。
【００３７】
この実施の形態の面光源装置１１は、第１の実施の形態の（３）と同様の効果を有する他に次の効果を有する。
（６）  放熱板１３及び液晶パネル支持フレーム１７を収容する箱状のフレームがないため、狭額縁化を図ることができる。
【００３８】
（７）  保持フレーム１２がないため、部品点数が少なくなるとともに、放熱板１３を保持フレーム１２の所定の位置に位置決めする位置決め手段（孔１３ｂ）も不要になる。
【００３９】
（８）  放熱板１３の両端から起立した側壁１３ｃに液晶パネル支持フレーム１７と放熱板１３とを係止固定する係止手段の一方（孔２１）が設けられている。従って、係止手段の配設位置の確保が容易となる。
【００４０】
（９）  液晶パネル支持フレーム１７と放熱板１３とを係止固定する係止手段が、爪部１９と孔２１との組み合わせで構成されているため、係止手段の構造が簡単になる。
【００４１】
実施の形態は前記に限定されるものではなく、例えば、次のように具体化してもよい。
○  保持フレーム１２を設けない構成において、放熱板１３側に側壁１３ｃを形成する代わりに、図５（ａ）に示すように、液晶パネル支持フレーム１７側にカバー部１３ａの開放部を覆う一対の壁２２を設ける。液晶パネル支持フレーム１７は両壁２２間にカバー部１３ａを配置可能な寸法に形成されている。カバー部１３ａの液晶パネル支持フレーム１７と対向する箇所には、係止突起２３が切り起こしにより形成され、液晶パネル支持フレーム１７のカバー部１３ａと対向する面には、図５（ｂ）に示すように係止突起２３が係止可能な凹部２４が形成されている。そして、係止突起２３が凹部２４に係止されることにより、液晶パネル支持フレーム１７と放熱板１３とが係止固定される。この構成においても、第１の実施の形態の（３）及び、第２の実施の形態の（６），（７）の効果を有する。また、この構成では側壁１３ｃを折り曲げる作業が不要なため、第２の実施の形態に比較して組み付け作業が簡単になる。
【００４２】
○  液晶パネル支持フレーム１７に壁２２を設ける構成において、液晶パネル支持フレーム１７と放熱板１３とを係止固定する手段として、係止突起２３及び凹部２４を設ける代わりに、図６に示すように、壁２２の先端側を折り曲げて支持部２２ａを設ける。そして、支持部２２ａと液晶パネル支持フレーム１７とで放熱板１３を挟持する構成とする。この場合、支持部２２ａは組み付け時に折り曲げ形成する必要はなく、予め形成しておいても導光板１４及び管状ランプ１５の放熱板１３への組み付けに支障はない。従って、第２の実施の形態に比較して組み付け作業が簡単になる。また、カバー部１３ａに係止突起２３を形成する必要がないため、カバー部１３ａの加工が簡単になる。また、液晶パネル支持フレーム１７に凹部２４を形成するのに比較して、支持部２２ａを形成する方が製造が簡単になる。
【００４３】
○  図６に示した構成の変形として、両側の支持部が延長されて一体化された形状としてもよい。この構成は、第１の実施の形態で液晶パネル支持フレーム１７と保持フレーム１２とを一体に形成したともいえる。
【００４４】
〇  第２の実施の形態において、放熱板１３と液晶パネル支持フレーム１７とを固定する手段として爪部１９及び孔２１を設ける代わりに、側壁１３ｃの先端を折り曲げて係止部を形成し、該係止部を液晶パネル支持フレーム１７の上面（カバー部１３ａと対向する面と反対側の面）に係止する構成としてもよい。
【００４５】
○  第１の実施の形態のように、保持フレーム１２を設ける構成において、液晶パネル支持フレーム１７と保持フレーム１２とを係止固定する手段として、爪部１９及び孔２０を設ける代わりに、図７に示すように、側壁１２ｂの先端を折り曲げて液晶パネル支持フレーム１７に係止する構成としてもよい。組み付ける際は、導光板１４及び管状ランプ１５が組み付けられた放熱板１３と液晶パネル支持フレーム１７とを重ねた状態で、保持フレーム１２の側壁１２ｂ間に一方のカバー部１３ａ側から挿入する。
【００４６】
○  図７に示した構成の変形として、保持フレーム１２を二つに分割してもよい。例えば、断面コ字状の保持フレーム１２を２個使用し、液晶パネル支持フレーム１７と保持フレーム１２と共同して放熱板１３及び光学シート１６を保持してもよい。この場合、各保持フレーム１２がクリップのような役割を果たし、図７に示す構成に比較して組み付けが容易になる。
【００４７】
○  第１及び第２の実施の形態において、爪部１９を側壁１２ｂ又は側壁１３ｃに形成し、孔又は凹部を液晶パネル支持フレーム１７に設けてもよい。しかし、爪部１９を液晶パネル支持フレーム１７に形成する方が製造が簡単である。また、爪部１９及び孔２０の数は適宜変更してもよい。
【００４８】
○  図５（ａ），（ｂ）に示す構成において、係止突起２３を液晶パネル支持フレーム１７側に設け、凹部２４又は孔をカバー部１３ａ側に設けてもよい。
○  放熱板１３として金属板に反射材が一体に形成されたものを使用する代わりに反射材のない金属板を使用し、導光板１４と放熱板１３との間に反射シートを介装してもよい。
【００４９】
○  管状ランプ１５を導光板１４の片側に配設した構成としてもよい。その場合、導光板１４はその厚さが一定に限らず、例えば、管状ランプ１５と対向する端面１４ａ側から次第に薄くなるように形成された構成としてもよい。
【００５０】
○  放熱板１３に使用する金属はアルミニウムに限らず、他の金属でもよい。
○  カバー部１３ａの形状は断面コ字状に限らず、例えば、導光板１４の端面１４ａと対向する部分が曲面（円弧面や放物面）に形成されていてもよい。
【００５１】
○  保持フレーム１２は金属製に限らず樹脂製や複合材（例えば、繊維強化プラスチック）であってもよい。しかし、金属製の方が薄くできるとともに、放熱板１３からの放熱がより効率良く行われるため、金属製の方が好ましい。
【００５２】
〇  液晶パネル支持フレーム１７を金属製や複合材（例えば、繊維強化プラスチック）製としてもよい。
○  カバー部１３ａの内面に反射材を設けなくてもよい。
【００５３】
○  反射材を金属メッキで形成してもよい。
○  管状光源として希ガス放電管を使用してもよい。この場合、冷陰極管に比較して低温特性が優れる。従って、低温時にも使用される車載計器用の液晶表示装置のバックライトとして好適に使用できる。
【００５４】
以下の技術的思想（発明）は前記実施の形態から把握できる。
（１）  請求項４に記載の発明において、前記壁は液晶パネル支持フレーム側に設けられ、前記係止手段は前記カバー部及び液晶パネル支持フレームのカバー部と対向する位置に設けられている。
【００５５】
（２）  請求項４に記載の発明において、前記壁は液晶パネル支持フレーム側に設けられるとともに、その先端側が折り曲げられて支持部が形成され、支持部と液晶パネル支持フレームとで放熱板を挟持する。
【００５６】
（３）  請求項４に記載の発明において、前記壁は放熱板側に設けられるとともに、その先端側が折り曲げられて支持部が形成され、支持部が液晶パネル支持フレームと係止可能に形成されている。
【００５７】
（４）  請求項１に記載の発明において、前記保持フレームは２個に分割され、液晶パネル支持フレーム及び放熱板を挟持可能に断面コ字状に形成されている。
【００５８】
（５）  請求項１〜請求項４及び前記技術的思想（１）〜（４）のいずれかに記載の発明の面光源装置を備えた液晶表示装置。
【００５９】
【発明の効果】
以上詳述したように請求項１〜請求項４に記載の発明によれば、管状光源から発せられる熱の放熱性及び管状光源のノイズ抑制性を向上できるとともに狭額縁化を図ることができる。
【図面の簡単な説明】
【図１】第１の実施の形態の模式分解斜視図。
【図２】液晶パネルを配置した状態の部分模式断面図。
【図３】第２の実施の形態の模式分解斜視図。
【図４】第２の実施の形態の模式分解斜視図。
【図５】（ａ）は別の実施の形態の模式分解斜視図、（ｂ）は部分模式断面図。
【図６】別の実施の形態の模式分解斜視図。
【図７】別の実施の形態の模式分解斜視図。
【図８】従来技術の模式分解斜視図。
【図９】従来技術の模式分解斜視図。
【符号の説明】
１２…保持フレーム、１２ａ…底壁、１２ｂ…側壁、１３…放熱板、１３ａ…カバー部、１３ｃ…壁としての側壁、１４…導光板、１４ａ…端面、１５…管状光源としての管状ランプ、１６…光学シート、１７…液晶パネル支持フレーム、１８…液晶パネル、１８ａ…表示面、１９…係止手段としての爪部、２０，２１…係止手段としての孔、２２…壁。
【図１】
2004165031.tif 000003
【図２】
2004165031.tif 000004
【図３】
2004165031.tif 000005
【図４】
2004165031.tif 000006
【図５】
2004165031.tif 000007
【図６】
2004165031.tif 000008
【図７】
2004165031.tif 000009
【図８】
2004165031.tif 000010
【図９】
2004165031.tif 000011